(57)【特許請求の範囲】
【請求項１】
画像記録装置、定着装置、および本体フレームを有する記録部と、
前記記録部の上側に配置されて、読取ユニット、該読取ユニットの光学部品を支持するキャリッジ、該キャリッジを案内するガイドフレーム、およびこれらの読取ユニット、キャリッジ、ガイドフレームを収容するハウジングを有する画像読取部と、
前記ガイドフレームと前記本体フレームの間に設けられて、該本体フレームに固定された該ガイドフレームの高さを調整して、水平に保持するための高さ調整構造と、
を有する画像形成装置であって、
前記ガイドフレームが四角枠状に形成されており、
前記高さ調整構造が、
前記ガイドフレームに設けられる基準部および調整部と、
前記基準部を前記本体フレームに締結する基準体と、
前記調整部にねじ込まれて前記本体フレームに接する調整体と、
を含み、
前記基準部が、四角枠状の前記ガイドフレームの一つのコーナー部の近傍に配置されており、前記調整部が、前記基準部が配置されたコーナー部に対して対角位置にあるコーナー部の近傍に配置されており、
前記本体フレームの上面壁を締結座にして、前記基準体が前記締結座に固定されており、
前記調整体の下端を本体フレームに接当させながら、該調整体をねじ込み、あるいは緩める調整操作を行うことにより、前記ガイドフレームの高さを無段階に調整することができるように構成されていることを特徴とする画像形成装置。
【請求項２】
機体の上側から順に前記画像読取部と排紙部と前記記録部とが配置されており、
前記本体フレームが、前記画像読取部の側部および後部を支持する第１フレームと、前記排紙部に臨む前記画像読取部の側部を支持する片持ち梁状の第２フレームとで構成されており、
前記調整部が、前記第２フレームの突端寄りの上方に設けられている請求項１に記載の画像形成装置。
【請求項３】
前記高さ調整構造が、前記ガイドフレームの左右いずれか一方の後コーナー部に設けられる前記基準部、および前記基準体と、
前記基準部を除く前記ガイドフレームのコーナー部の近傍に設けた３個所の前記調整部と、前記調整部にねじ込まれる３個の前記調整体と、
で構成されている請求項１または２に記載の画像形成装置。
【請求項４】
前記画像読取部の上面にプラテンガラスが配置されており、
前記プラテンガラスの周縁が、前記ハウジングの上面に組み付けた載置台カバーで覆われており、
前記載置台カバーには、前記プラテンガラスを露出させる主開口が形成されており、
前記主開口の開口縁に沿って、前記プラテンガラスの周縁を押さえ保持する直線状の押えリブが形成されており、
固定原稿の位置決め壁を兼ねる後縁側の前記押えリブの突出寸法は、他の前記押えリブの突出寸法より僅かに大きく設定されており、
前記主開口の内隅部分に、隣接する前記押えリブを分断する区分溝が形成されている請求項１、２または３に記載の画像形成装置。  
【発明の詳細な説明】
【技術分野】
【０００１】
本発明は、コピー機や、ファクシミリ機に代表される画像形成装置に関し、なかでも画像読取部の姿勢を水平に調整するための構造に関する。
【背景技術】
【０００２】
この種の調整構造に関して特許文献１が公知である。そこでは、画像読取部が収容される箱状のハウジングを本体フレームで支持し、ハウジングと本体フレームとの間に高さ調整構造が設けられている。詳しくは、ハウジングの一方の前隅に高さ調整構造を設け、他の隅部分が３個の脚部で支持されている。高さ調整構造は、ハウジングの底壁に固定される調整体と、本体フレームで調整スライド可能に支持される調整ブロックとで構成される。調整ブロックは階段状の調整部と、摘み部とを一体に備えており、摘み部をスライド操作することにより、調整部によるハウジング側の調整体の支持高さを調整して、ハウジングを水平に支持することができる。なお、調整後の調整ブロックは、本体フレームにねじ込んだビスでスライド不能に固定される。
【０００３】
また、特許文献１の画像形成装置においては、画像読取部と記録部との間に排紙部を設けて、排紙部の前面および一側面を開放している。このように画像読取部の下方に排紙部を配置する場合には、排紙部に臨む画像読取部の側面を片持ち梁状の本体フレームで支持せざるを得ない。そのため、画像読取部を本体フレームに組み付けた状態において、片持ち梁構造の本体フレームの突端が沈み込みやすくなる。この沈み込みを効果的に矯正するために、高さ調整構造が片持ち梁状の本体フレームの上面の突端寄りに配置されている。
【０００４】
同様の高さ調整機構は特許文献２にも見ることができる。そこでは、プラテンカバーと、自動原稿搬送装置が組み込んであるプラテンカバーの重量の違いに応じて、画像読取部を収容するハウジングの後隅部の高さを、高さ調整機構で大小に調整できるようにしている。高さ調整機構は、ビスを調整要素にして構成される。
【先行技術文献】
【特許文献】
【０００５】
【特許文献１】特開２００８−２７１５２１号公報（段落番号００５３、図４）
【特許文献２】特開２００５−１２３７７７号公報（段落番号００３１、図７）
【発明の概要】
【発明が解決しようとする課題】
【０００６】
特許文献１の画像形成装置によれば、画像読取部のハウジングを本体フレームに組み付けた状態のままで、ハウジングを水平姿勢に調整することができる。しかし、ハウジングを調整対象にしてその底壁が水平になるように調整するので、厳密に解釈すると、読取ユニットの光学系を水平に保持しているとは言えない。たとえば、第１・第２のキャリッジをガイドするキャリッジフレームやガイド軸が、ハウジングに対して水平になっていないおそれがある。特許文献２の画像形成装置においても同様の問題がある。
【０００７】
本発明の目的は、ガイドフレームを本体フレームで水平に支持して、読取ユニットによる画像の読み取りを適正に行なえる画像形成装置を提供することにある。本発明の目的は、ガイドフレームの高さ調整をより精密にしかも的確に行なえる画像形成装置を提供することにある。
【課題を解決するための手段】
【０００８】
本発明に係る画像形成装置は、
画像記録装置、定着装置、および本体フレームを有する記録部と、
前記記録部の上側に配置されて、読取ユニット、該読取ユニットの光学部品を支持するキャリッジ、該キャリッジを案内するガイドフレーム、およびこれらの読取ユニット、キャリッジ、ガイドフレームを収容するハウジングを有する画像読取部と、
前記ガイドフレームと前記本体フレームの間に設けられて、該本体フレームに固定された該ガイドフレームの高さを調整して、水平に保持するための高さ調整構造と、
を有する。
前記ガイドフレームは四角枠状に形成されている。
前記高さ調整構造が、
前記ガイドフレームに設けられる基準部および調整部と、
前記基準部を前記本体フレームに締結する基準体と、
前記調整部にねじ込まれて前記本体フレームに接する調整体と、
を含み、
前記基準部が、四角枠状の前記ガイドフレームの一つのコーナー部の近傍に配置されており、前記調整部が、前記基準部が配置されたコーナー部に対して対角位置にあるコーナー部の近傍に配置されており、
前記本体フレームの上面壁を締結座にして、前記基準体が前記締結座に固定されており、
前記調整体の下端を本体フレームに接当させながら、該調整体をねじ込み、あるいは緩める調整操作を行うことにより、前記ガイドフレームの高さを無段階に調整することができるように構成されていることを特徴とする。
【００１０】
機体の上側から順に画像読取部と排紙部と記録部とを配置する。本体フレームは、画像読取部の側部および後部を支持する第１フレームと、排紙部に臨む画像読取部の側部を支持する片持ち梁状の第２フレームとで構成する。調整部を、第２フレームの突端寄りの上方に設ける。
【００１１】
高さ調整構造は、ガイドフレームの左右いずれか一方の後コーナー部に設けられる基準部、および基準体と、基準部を除くガイドフレームのコーナー部の近傍に設けた３個所の調整部と、調整部にねじ込まれる３個の調整体とで構成する。
【００１２】
画像読取部の上面にプラテンガラスを配置する。プラテンガラスの周縁を、ハウジングの上面に組み付けた載置台カバーで覆う。載置台カバーには、プラテンガラスを露出させる主開口を形成する。主開口の開口縁に沿って、プラテンガラスの周縁を押さえ保持する直線状の押えリブを形成する。固定原稿の位置決め壁を兼ねる後縁側の押えリブの突出寸法を、他の押えリブの突出寸法より僅かに大きく設定する。主開口の内隅部分に、隣接する押えリブを分断する区分溝を形成する。
【発明の効果】
【００１３】
本発明においては、ガイドフレームと本体フレームの間に、ガイドフレームの高さを調整して水平に保持する高さ調整構造を設けた。高さ調整構造は、ガイドフレームに設けた基準部および調整部と、基準部を本体フレームに締結する基準体と、調整部にねじ込まれる調整体などで構成した。また、基準部を四角枠状の前記ガイドフレームの一つのコーナー部の近傍に配置し、調整部を基準部が配置されたコーナー部に対して対角位置にあるコーナー部の近傍に配置して、基準部と調整部を互いに遠く離れた位置に位置させるようにした。
【００１４】
高さ調整を行なう場合には、基準部を本体フレームに基準体で締結したのち、調整部にねじ込んだ調整体を本体フレームに接触させ、ガイドフレームを調整体で突っ張るようにして高さを調整する。このように、ガイドフレームに設けた基準部を高さの基準にして、本体フレームに接する調整体でガイドフレームの高さを調整すると、１個の調整体を回転するだけの簡単な操作で、ガイドフレームの高さを調整して水平姿勢に保持できる。また、基準部と調整部を互いに遠く離れた位置に位置させることにより、調整体のねじピッチ当りのガイドフレームの変位量を小さくしてガイドフレームの高さを微調整でき、したがって調整体による高さ調整をより精密にしかも的確に行なえる。
【００１５】
本体フレームの上面壁を締結座にして、同締結座に基準体を固定するようにすると、ハウジングおよびガイドフレームを本体フレームで直接受け止めて、基本的な構造体である本体フレームを位置基準にして高さ調整を厳密に行なうことができる。また、ガイドフレームの基準部を本体フレームに締結して、高さ調整後のガイドフレームおよびハウジングを本体フレームで強固に支持できる。
【００１６】
上側から順に画像読取部と排紙部と記録部とを配置する機体においては、排紙部に臨む画像読取部の側部を片持ち梁状の第２フレームで支持せざるを得ず、そのため第２フレームの突端が撓み変形する傾向にある。このように、他のフレーム部位に比べて変位しやすい、第２フレームの突端の上方に調整部を配置すると、ガイドフレームの高さ調整を行なうのと同時に、第２フレームの変位を矯正できる。したがって、他のフレーム部位に調整部を配置する場合に比べて、ガイドフレームの高さ調整を効果的に行なうことができる。
【００１７】
四角枠状に形成したガイドフレームの一方の後隅に基準部を設け、基準部を除くガイドフレームの隅部の近傍に調整部を設けると、ガイドフレームを構成する前後フレームの水平度をさらに精密に調整して、ガイドフレームの姿勢をさらに正確に調整できる。また、ガイドフレームを基準部と３個の調整部とで対角状に支持するので、常に安定した状態でガイドフレームを支持できる。外部から衝撃や振動を受けるような場合であっても、ガイドフレームが撓み変形し、あるいは揺れ動くのを確実に阻止できる。
【００１８】
載置台カバーの主開口に沿って設けた押えリブでプラテンガラスの周縁を押さえる保持構造において、主開口の内隅部分に区分溝を設けて、隣接する押えリブを分断すると、各押えリブを独立してプラテンガラスに密着させることができる。また、分断された各押えリブの周縁壁は独立して弾性変形できることになる。したがって、載置原稿の位置決め壁を兼ねる後縁側の押えリブの突出寸法を、他の押えリブの突出寸法より僅かに大きく設定することにより、後縁側の押えリブをプラテンガラスに強く押し付けた状態で密着できる。同時に前縁および側縁の押えリブも、後縁側の押えリブに影響されることもなくプラテンガラスに密着させることができる。結果、後縁側の押えリブとプラテンガラスとの間に隙間が形成されるのを確実に防止して、紙原稿を位置決めする際に、後縁側の押えリブとプラテンガラスとの間に潜りこむのを確実に防止できる。載置台カバーと一体に形成した押えリブでプラテンガラスを押さえ保持するので、プラテンガラスの周縁を４個の押え枠で押さえ保持する場合に比べて、プラテンガラスや読取ユニットのメンテナンスを簡便に行なえる。
【図面の簡単な説明】
【００１９】
【図１】本発明に係る原稿載置台の内部構造を示す平面図である。
【図２】画像形成装置の正面図である。
【図３】原稿載置台を分解した状態の画像読取部の平面図である。
【図４】画像読取部の縦断正面図である。
【図５】ガイドフレームの支持構造を示す概略斜視図である。
【図６】図１におけるＡ−Ａ線断面図である。
【図７】図１におけるＢ−Ｂ線断面図である。
【図８】画像読取部の固定構造を示す左側面図である。
【図９】画像読取部の固定構造を示す右側面図である。
【図１０】図８におけるＣ−Ｃ線断面図である。
【図１１】図９におけるＤ−Ｄ線断面図である。
【図１２】プラテンガラスの保持構造を示す一部を破断した斜視図である。
【図１３】高さ調整構造の別の実施例を示す原稿載置台の平面図である。
【図１４】図１３におけるＥ−Ｅ線断面図である。
【図１５】図１３におけるＦ−Ｆ線断面図である。
【発明を実施するための形態】
【実施例】
【００２０】
図１から図１２は本発明に係る画像形成装置を、コピー機能とファクシミリ機能とを備えた複合機に適用した実施例を示す。なお、本発明における前後、左右、上下とは、図２および図３に示す交差矢印と、各矢印の近傍に表記した前後、左右、上下の表示に従う。
【００２１】
図２において複合機は、記録部１と、記録部１の上側に配置される画像読取部２とを備える。記録部１には、画像記録装置３や定着装置４などが設けられている。画像読取部２の上面には、原稿読取面を開閉するプラテンカバー５が設けられ、その上部に自動原稿搬送部（ＡＤＦ）６が組み込まれている。画像読取部２の前面には、操作パネル７が設けられている。記録部１の下方には給紙カセット８が多段状に配置されており、各給紙カセット８には異なるサイズの用紙が収容されている。画像記録装置３や定着装置４を経由して画像がプリントされた用紙は、画像読取部２の下方の排紙部９へ排出される。プラテンカバー５は、その後端に設けたヒンジを中心にして上下に揺動することにより、原稿載置台１２の上面に被さり、あるいは原稿載置台１２の上面を開放する。排紙部９は、その前面と左側面が開放されている。
【００２２】
図３および図４において画像読取部２は、上面にプラテンガラス１１が配置してある四角箱状の原稿載置台１２を有し、その内部に読取ユニット１３と、同ユニット１３の光学系を支持するキャリッジ１４と、ＣＣＤイメージセンサー１５などが配置されている。原稿載置台１２は、下半を占めるハウジング１６と、ハウジング１６の上面に固定される載置台カバー１７および後部カバー１８と、先のプラテンガラス１１などで構成される。原稿載置台１２の内部に配置した四角枠状の板金製のガイドフレーム１９の前後の枠に、キャリッジ１４、およびキャリッジ１４を駆動する駆動装置などが組み付けられている。さらに、ガイドフレーム１９の底に固定したベース４２上にＣＣＤイメージセンサー１５が固定されている（図５参照）。
【００２３】
図４に示すようにキャリッジ１４は、第１キャリッジ２１と、第２キャリッジ２２とで構成される。第１・第２の両キャリッジ２１・２２は、前後に長い枠状の構造体からなり、それぞれの前後端に設けたスライド片が、ガイドフレーム１９の前後の枠に設けたガイド壁で往復スライド可能に案内されている。第２キャリッジ２２には、原稿を照射する光源２６と第１ミラー２７が配置されている。また、第１キャリッジ２１には、第２ミラー２８と第３ミラー２９が配置されている。第３ミラー２９で変向された画像は、ＣＣＤイメージセンサー１５のレンズ部へ送られる。読取ユニット１３は光源２６と、第１から第３の各ミラー２７〜２９、およびＣＣＤイメージセンサー１５などで構成されており、ＣＣＤイメージセンサー１５を除く光学系部品が、第１・第２の両キャリッジ２１・２２に配置されている。
【００２４】
キャリッジ用の駆動装置は、第１・第２の各キャリッジ２１・２２に対応して設けた、第１駆動系３１と第２駆動系３２とで構成される。第１・第２の各駆動系３１・３２は、それぞれベルトを伝動媒体とする巻掛伝動構造として構成される。図４に向かって右端側の駆動軸３３を、モーター３４の動力でギヤを介して駆動することにより、各駆動系３１・３２を同時に駆動することができる。第１・第２の各キャリッジ２１・２２は、各駆動系３１・３２のベルトの直線部に連結されて左右のプーリーの間を往復でき、往復するときの第２キャリッジ２２は第１キャリッジ２１の２倍の速さで移動する。
【００２５】
画像読取部２は、そのハウジング１６とガイドフレーム１９とを記録部１側に設けた本体フレーム３７に固定することにより、排紙部９の上面を覆う状態で支持してある。ハウジング１６は、上面が開口する箱状のプラスチック成形品からなる。図５に示すように、ガイドフレーム１９は、前後に対向する前フレーム３８と後フレーム３９、およびこれら両フレーム３８・３９の両側端に固定される左フレーム４０、および右フレーム４１とで四角枠状に形成される。これらの各フレーム３８〜４１は、それぞれプレス成形品からなる。
【００２６】
ガイドフレーム１９を本体フレーム３７で水平に支持して、読取ユニット１３による読取画像を適正化するために、ガイドフレーム１９と本体フレーム３７との間に高さ調整構造が設けられている。本体フレーム３７は、画像読取部２の右側部および後部を支持する第１フレーム４３と、排紙部９に臨む画像読取部２の左側部を支持する片持ち梁状の第２フレーム４４とで構成される。第１フレーム４３は、複数の枠体を組み合わせて構成するが、図５ではその外郭線のみを表示してブロック状に表示している。第２フレーム４４は横臥Ｊ字状の枠体からなり、構造強度を増強するために断面が樋体状に形成されている。第１・第２の両フレーム４３・４４の上面には、それぞれ垂直の締結片４５が一体に形成されている。締結片４５には、後述するビス６０用の挿通穴４６が、上下方向に長い長穴として形成されている。
【００２７】
図１において高さ調整構造は、ガイドフレーム１９に設けられる基準部４７および調整部４８と、基準部４７を締結する基準ねじ（基準体）４９と、調整部４８にねじ込まれる調整ねじ（調整体）５０と、本体フレーム３７に設けられる締結座５１および調整座５２などで構成される。基準部４７は、ガイドフレーム１９の後右隅寄りのモーター３４の近傍に配置されており、後フレーム３９と一体の水平に折り曲げられた壁からなる（図６参照）。基準部４７には、基準ねじ４９を挿通するための挿通穴と、位置決めピン５４に対応する位置決め穴５５が形成されている。位置決め穴５５は左右方向に長い長穴として形成される。
【００２８】
図１に示すように、調整部４８は基準部４７から遠く離れたガイドフレーム１９の前左隅寄りに配置する。調整部４８は、左フレーム４０の上下方向の中途部に折り曲げられた水平の壁からなる（図７参照）。締結座５１は、第１フレーム４３の上面に設けられており、その壁面に基準ねじ４９をねじ込むためのねじ穴５３が形成される。このねじ穴５３に隣接して位置決めピン５４が固定される。調整座５２は第２フレーム４４の上面壁に、同壁と面一になる状態で折り起こされている。上記の調整部４８と基準部４７とは、ガイドフレーム１９を平面から見るとき概ね対角関係にある。
【００２９】
ハウジング１６およびガイドフレーム１９の組み付けと、ガイドフレーム１９の高さ調整とは以下のようにして行なう。なお、本体フレーム３７は、予め記録部１側の構造体に固定されている。また、ガイドフレーム１９には、読取ユニット１３やキャリッジ用の駆動装置などが事前に組み付けられている。
【００３０】
まず、キャリッジ１４などが組み込まれたガイドフレーム１９をハウジング１６内に収容して、ガイドフレーム１９をハウジング１６に対して、基準部４７の位置決め穴５５と位置決めピン５４（図１参照）とで粗く位置決めする。次に、ガイドフレーム１９が収容されたハウジング１６を本体フレーム３７の上面に載置してから、ハウジング１６およびガイドフレーム１９の組み付け姿勢を調整して、基準部４７およびハウジング１６の底壁に形成した挿通穴に基準ねじ４９を差し込んで、そのねじ軸の数山をねじ穴５３にねじ込んで仮締結する。
【００３１】
つぎに、調整ねじ５０を調整部４８のねじ穴５７にねじ込んで、その下端を調整座５２の上面に接当させ、ガイドフレーム１９の上面に載置した水準器の状態を確認しながら、調整ねじ５０をねじ込み、ガイドフレーム１９を概ね水平にする。この状態で、図６に示すように基準ねじ４９を完全に締め込んで、基準部４７およびハウジング１６の底壁を締結座５１に固定し、新たな高さの基準とする。さらに、水準器の状態を確認しながら調整ねじ５０をねじ込み、あるいは緩めて、ガイドフレーム１９の姿勢を水平にする。最後に、工業用の瞬間接着剤を調整ねじ５０のねじ込み部分に塗布して、調整ねじ５０が緩むのを阻止する。以上のように、高さ調整時には、調整ねじ５０をガイドフレーム１９の開放された上面側から調整操作すればよいので、一連の調整作業を迅速にしかも正確に行なうことができる。また、調整ねじ５０が占める空間を確保するだけでよいので、省スペース化を図ることができ、設計の自由度も向上できる。
【００３２】
高さ調整が終了したのちは、図８および図９に示すようにハウジング１６と、ガイドフレーム１９と、本体フレーム３７の三者をビス（ねじ体）６０で締結して固定する。詳しくは、図１０および図１１に示すように、ビス６０をハウジング１６のビス穴６１と、本体フレーム３７に設けた締結片４５の挿通穴４６に差し込み、そのねじ軸をガイドフレーム１９に設けたねじ穴６２にねじ込んで三者を固定する。この固定状態においては、ハウジング１６の左右壁と左右フレーム４０・４１とが締結片４５を挟む状態で固定されて、ガイドフレーム１９が本体フレーム３７と一体化される。ガイドフレーム１９の本体フレーム３７に対する高さは、個々の機体ごとにばらつくが、このばらつきは上下方向に長い挿通穴４６で吸収することができる。なお、ビス６０による締結は、画像読取部２の左右側面の前後３個所と、ガイドフレーム１９の後面中央との合計７個所で行なう。
【００３３】
上記のように、ハウジング１６を本体フレーム３７に固定したのち、ガイドフレーム１９の上面にプラテンガラス１１を載置する。さらに、その隣に窓ユニット６３（図３参照）を組み付け、最後に、載置台カバー１７をハウジング１６の上面に被せ付けてビスで固定する。載置台カバー１７は、下面および後面が開口する箱状のプラスチック成形品からなり、その上面に固定原稿の載置領域を規定する主開口６５と、搬送原稿の画像読取位置に臨んで開口される取付開口６６とが、左右に隣接する状態で形成されている。
【００３４】
図３に示すように、載置台カバー１７には、プラテンガラス１１の周縁を押さえ保持する直線リブ状の押えリブ６７・６８・６９が、主開口６５の開口縁に沿って一体に形成されている。これら３個の押えリブ６７・６８・６９のうち、後縁側の押えリブ６８は位置決め壁を兼ねており、後述する位置決め部７６と協同して固定原稿の位置決めを行なう。固定原稿を位置決めするとき、紙原稿が押えリブ６８とプラテンガラス１１との間に隙間に潜りこむのを防ぐために、後側の押えリブ６８の突出寸法は、前縁および右側縁の押えリブ６７・６９の突出寸法より僅かに（０．５ｍｍ）大きく設定されている。この場合の各押えリブ６７・６８・６９の突出寸法とは、載置台カバー１７の上面から各押えリブ６７・６８・６９の下端までの上下寸法を意味する。
【００３５】
上記のように、押えリブ６７・６８・６９の突出寸法に差があると、載置台カバー１７をハウジング１６に装着した状態において、後縁側の押えリブ６８がプラテンガラス１１に先当りし、残る押えリブ６７・６９がガラス上面から浮き離れるおそれがある。このような不具合を解消して、全ての押えリブ６７・６８・６９をプラテンガラス１１に密着させるために、図１２に示すように主開口６５の前後の内隅部分のそれぞれにＬ字状の区分溝７０を形成している。
【００３６】
区分溝７０を設けることにより、各押えリブ６７・６８・６９を分断して縁切りし、各押えリブ６７・６８・６９を独立してプラテンガラス１１に密着できる。したがって、載置台カバー１７を固定した状態においては、主開口６５の後側の周縁壁が僅かに上向きに弾性変形する状態で、押えリブ６８を強い力でプラテンガラス１１に密着でき、両者１１・６８の間に隙間が生じるのを確実に防止できる。さらに、前縁および右側縁の押えリブ６７・６９を、後側の押えリブ６８から独立した状態で、それぞれプラテンガラス１１に密着させることができる。また、各押えリブ６７・６８・６９を載置台カバー１７と一体に形成するので、載置台カバー１７をハウジング１６から取り外すことにより、プラテンガラス１１や読取ユニット１３のメンテナンス作業を簡便に行なうことができる。
【００３７】
図４において窓ユニット６３は、コンタクトガラス７３と、同ガラス７３を支持する支持枠７４とで構成する。支持枠７４は、前後に長い板状のプラスチック成形品からなり、その上面には搬送原稿を上向きに案内するガイド体７５と、位置決め部７６とが一体に形成されている。ガイド体７５は、自動原稿搬送部６で搬送される原稿を案内する。位置決め部７６は、先に説明した押えリブ６７・６８・６９と同様のリブ状に形成されており、窓ユニット６３をガイドフレームに固定した状態において、プラテンガラス１１の左側縁の上面に密着して原稿を位置決めする。位置決め部７６の内面には、読取ユニット１３においてホワイトバランスを調整するための、白色のシェーディングシート７７が配置されている。
【００３８】
上記構成の高さ調整構造によれば、基準部４７を基準ねじ４９で締結座５１に固定した状態で、調整ねじ５０を調整操作するだけの簡単な操作で、ガイドフレーム１９を水平に保持して、読取ユニット１３による原稿の読み取りを適正に行なうことができる。また、調整部４８を基準部４７から遠く離れた位置に設けたため、調整ねじ５０を一定量ねじ込んだ場合の、ガイドフレーム１９の高さの変化を小さくすることができる。つまり、ガイドフレーム１９の高さを微調整できることになり、調整ねじ５０による高さ調整を精密にしかも確実に行なうことができる。さらに、本体フレーム３７のうち、画像読取部２の荷重を受けて撓み変形しやすい、片持ち梁状の第２フレーム４４の先端近傍に調整部４８を設けたため、他の部位に調整部４８を設ける場合に比べて、ガイドフレーム１９の高さ調整をより効果的に行なうことができる。
【００３９】
図１３から図１５に、高さ調整構造の別の実施例を示す。そこでは、先に説明した調整構造に加えて調整部４８を２個所追加して、ガイドフレーム１９の三個所で高さ調整を行なうようにした。詳しくは、ガイドフレーム１９のベース４２の前部と、後フレーム３９の左端の後部のそれぞれに調整部４８を追加した。ガイドフレーム１９の左前隅に配置した調整部４８と基準部４７とが概ね対角関係にあるのと同様に、追加した２個の調整部４８どうしも概ね対角関係にある。
【００４０】
後フレーム３９の左端の後部に設けた調整部４８にねじ込まれる調整ねじ５０は、図１４に示すように、第２フレーム４４に設けた調整座５２に接触してガイドフレーム１９の高さを調整する。また、ベース４２の前部に設けた調整部４８にねじ込まれる調整ねじ５０は、図１５に示すように、第１フレーム４３の上面の調整座５２に接当してガイドフレーム１９の高さを調整する。そのために、ハウジング１６の底壁には、調整ねじ５０用の挿通穴７９が形成してある。他は先の実施例と同じであるので、同じ部材に同じ符号を付してその説明を省略する。
【００４１】
上記のように、ガイドフレーム１９の互いに交差する対角部の一つに基準部４７を設け、残る３個所に設けた調整部４８で高さ調整を行なうようにすると、前後のフレーム３８・３９の水平度を精密に調整して、ガイドフレーム１９の姿勢をさらに正確に調整できる。また、ガイドフレーム１９を基準部４７と３個の調整部４８とで対角状に支持するので、安定した状態でガイドフレーム１９を支持できる。
【００４２】
上記の実施例では、ガイドフレーム１９が、前後のフレーム３８・３９と左右のフレーム４０・４１を四角枠状に組んで構成してある場合について説明したが、その必要はない。ガイドフレーム１９は、キャリッジ１４のガイド構造の違いや、キャリッジ１４の駆動構造の違いなどに応じて構造が異なるからである。また、ガイドフレーム１９はプラスチック成形品や、補強金具がインサートされたプラスチック成形品で形成してあってもよい。
【００４３】
画像形成装置における排紙部９は、その前面と右側面とが開放してある形態を採ることができ、その場合には画像読取部２の右側面を片持ち梁状の第２フレーム４４で支持するとよい。本発明の高さ調整構造は、機体の側外方に排紙トレー（排紙部９）が配置してある形態の画像形成装置にも適用できる。
【００４４】
調整ねじ５０は丸小ねじを使用したが、調整座５２から上向きにねじ軸を固定して、ナットをねじ込んだ後、このナットで調整部４８を受け止めるようにしてあってもよい。
【符号の説明】
【００４５】
２  画像読取部
１２  原稿載置台
１３  読取ユニット
１６  ハウジング
１７  載置台カバー
１９  ガイドフレーム
３７  本体フレーム
４７  基準部
４８  調整部
４９  基準体
５０  調整体
６０  ねじ体
【図１】
0005482995.tif 000002
【図２】
0005482995.tif 000003
【図３】
0005482995.tif 000004
【図４】
0005482995.tif 000005
【図５】
0005482995.tif 000006
【図６】
0005482995.tif 000007
【図７】
0005482995.tif 000008
【図８】
0005482995.tif 000009
【図９】
0005482995.tif 000010
【図１０】
0005482995.tif 000011
【図１１】
0005482995.tif 000012
【図１２】
0005482995.tif 000013
【図１３】
0005482995.tif 000014
【図１４】
0005482995.tif 000015
【図１５】
0005482995.tif 000016